(57)【要約】【課題】  使用しない時に水銀が水銀柱の中に残留するのを避け、血圧計を収納するとき、揺れ又は傾斜等によって水銀収納筒の中の水銀が水銀柱の中に流れること避けることの出来る血圧計の回帰機構を提供すること。【解決手段】  血圧計のケースユニットの中に、上蓋と連動する水銀回帰機構及び空気入れ機構を設置し、前記ケースユニットの上蓋が裏蓋と閉じ合う時、空気入れ機構を連動駆動して水銀回帰機構の水銀柱の中に空気を注入することによって、水銀柱の中の水銀を水銀回帰機構の水銀収納筒に回帰させる。【選択図】  図１
0003106321.tif 000002
【実用新案登録請求の範囲】
【請求項１】
上蓋と裏蓋の一端がほぼＵ字形になったホルダーによって枢接され、前記上蓋と裏蓋が相対的に回動でき、且つ前記上蓋と裏蓋の対応面に、それぞれ対応する形態の筐体が設けられ、前記上蓋と裏蓋の連結部分には上向きの弧状の転動体ガイドが設けてあるケースユニットと、
水銀収納筒及び水銀柱を備えた台座を設け、前記水銀収納筒には水銀が収納され、前記台座には水銀が水銀柱と水銀収納筒の間を流通できる流通路があり、且つ前記台座の流通路には、裏蓋に固定された連接装置と枢接した連動バルブを設け、前記連動バルブの一端が前記台座から伸張し、上蓋が裏蓋に対して開閉する時、前記連動バルブを駆動して回転させることによって、水銀収納筒及び水銀柱間の流通路を開閉させ、台座からより遠く離れた水銀柱の一端に気体を注入する注気孔が設けてある水銀回帰機構と、
本体にロッドを備え、前記本体からより遠く離れたロッドの一端に転動部品を設け、ロッドの転動部品により近い位置に、ツバ止め部品を設け、且つ前記ツバ止め部品と本体の間にはロッドの外側を取り巻く弾性部品を設け、前記弾性部品の回復力によって、前記ロッドを常態下において本体の外側に突出させ、ロッドからより遠く離れた本体の側面には、前記本体の中の空気を通過させる通気孔を設け、本体の一端には注気孔を設け、前記注気孔によって空気を本体の中に注入出来、且つ上蓋の弧状転動ガイド上方に設置され、上蓋の開閉動作に伴って円弧状に転動することが出来る空気入れ機構と、
注気孔と通気孔を連通し、前記上蓋を裏蓋の上に閉じて重ねる動作に伴って、前記空気入れ機構と連動して円弧状の転位を行い、前記空気入れ機構のロッド上の転動部品を弧状の転動ガイドに当接させる事によって、前記ロッドを本体の方向に移動させ、前記本体の中にある空気を水銀柱の中に注入するホースと、を含むことを特徴とする、
血圧計の回帰機構。
【請求項２】
前記ホースは、中空のゴム管であることを特徴とする、請求項１に記載の血圧計の回帰機構。
【請求項３】
前記転動部品は、スチール玉であることを特徴とする、請求項１に記載の血圧計の回帰機構。
【請求項４】
前記弾性部品は、スプリングであることを特徴とする、請求項１に記載の血圧計の回帰機構。
【考案の詳細な説明】
【技術分野】
【０００１】
本考案は、血圧計を開く時又は閉じる時、血圧計の回帰機構を始動又は終了させることの出来る血圧計の回帰機構（回帰装置）に関する。
【背景技術】
【０００２】
従来の血圧計の水銀開閉機構は、台湾特許公告第７８２１００５６号に記載されているように、主として、収納容器に枢軸によって連接されたカバー体の内側にセットされた血圧測定装置と、前記カバー体の動作に対応して、水銀通路及び水銀収納筒のバルブの開閉位置を選択し、回帰操作を行うロッドとにより構成されている。前記ロッドには、平面角度を異にする二つの繋止部があり、そのうちの一つは、手動式でバルブを任意に開閉できるようになっている。
【０００３】
上述水銀計開閉機構のロッドは、前記カバー体を開く動作に対応して、前記水銀通路を開き、水銀収納筒の中の水銀を水銀通路に流し込み、又、前記カバー体が閉じる時は、前記ロッドが前記通路を封じ、水銀収納筒の中の水銀が水銀通路に流れることを防ぐ。
然るに、前記水銀計開閉機構のロッドは、前記カバー体の開閉に伴って水銀通路の開閉を行うことは出来るが、水銀通路の中に残留する水銀を水銀収納筒の中に押し戻すことができない、従って、更に水銀計をある角度で傾斜させて、水銀を水銀収納筒へ回流させなければならず、使用上の不便さがあった。
本考案者は、上述従来血圧計の回帰機構に派生する各項の欠点に鑑み、極力新規改善を試み、且つ永年苦心研鑚の末、遂に本件血圧計回帰機構の研究開発に成功した。
【考案の開示】
【考案が解決しようとする課題】
【０００４】
本考案の目的は、ケースユニットの中に、ホースによって連結された水銀回帰機構及び空気入れ機構を設け、筐体の上蓋と裏蓋が閉じて重なる時、前記空気入れ機構がホースを経由して水銀回帰機構の水銀柱の中に空気を注入し、前記水銀柱の中の水銀を水銀収納筒の中に回帰させ、使用しない時は水銀が水銀柱の中に残留するのを避けることの出来る血圧計の回帰機構を提供することにある。
【０００５】
本考案のもう一つの目的は、前記水銀回帰機構及び空気入れ機構が上蓋と連動することによって、前記上蓋が裏蓋と閉じて重なる時、前記空気入れ機構が水銀柱の中の水銀を水銀収納筒の中に回帰させると共に、水銀回帰機構の連動バルブを閉じて、水銀を水銀収納筒の中に封じこみ、前記血圧計を収納するとき、揺れ又は傾斜等によって水銀収納筒の中の水銀が水銀柱の中に流れること避けることの出来る血圧計の回帰機構を提供することにある。
【０００６】
本考案の更にもう一つの目的は、前記血圧計の回帰機構を連続して使用するとき、前記上蓋を一旦閉じて再開する動作だけで、水銀柱の中に残留した水銀を水銀収納筒の中へ回帰させ、水銀計をある角度で傾斜させて水銀の回流を待つ必要がなく、水銀の回流時間を短縮することの出来る血圧計の回帰機構を提供することにある。
【課題を解決するための手段】
【０００７】
本考案に係る血圧計の回帰機構は、水銀回帰機構の本体をなすケースユニット及び空気入れ機構とによって構成され、前記ケースユニットの上蓋と裏蓋の一端はほぼＵ字形になったホルダーによって枢接され、上蓋と裏蓋が相対的に回動でき、且つ前記上蓋と裏蓋の対応面に、それぞれ対応する形態の二つの筐体が設けられ、前記上蓋と裏蓋の接続部分には上向きで弧状の転動体ガイドが設けてあり、更に、水銀収納筒及び水銀柱を備えた台座を設け、前記水銀収納筒には水銀が収納され、前記台座には水銀が水銀柱と水銀収納筒の間を流通できる流通路があり、且つ前記台座の流通路には、裏蓋に固定された連接装置と枢接した連動バルブを設け、前記連動バルブの一端が前記台座から伸張し、上蓋が裏蓋に対して開閉する時、前記連動バルブを駆動して回転させることによって、水銀収納筒及び水銀柱間の流通路を開閉させ、そして、台座からより遠く離れた水銀柱の一端に気体を注入する注気孔が設けてある、前記空気入れ機構には、ロッドを備えた本体があり、前記本体からより遠く離れたロッドの一端に転動部品を設け、ロッドの転動部品により近い位置に、ツバ止め部品を設け、且つ前記ツバ止め部品と本体の間にはロッドの外側を取り巻く弾性部品を設け、前記弾性部品の回復力によって、前記ロッドを常態下において本体の外側に突出させ、ロッドからより遠く離れた本体の一端には、前記本体の中の空気を通過させる通気孔を設け、本体の一端には吸気孔を設け、前記吸気孔によって空気を本体の中に吸入出来、且つ前記空気入れ機構は、上蓋の弧状転動ガイド上方に設置され、上蓋の開閉動作に伴って円弧状に転動することが出来る、更に、注気孔と通気孔を連通させるホースを設け、上蓋を裏蓋の上に閉じて重ねる動作に伴って、前記空気入れ機構と連動して円弧状の転位が行われ、前記空気入れ機構のロッド上の転動部品を弧状の転動ガイドに当接させる事によって、前記ロッドを本体の方向に移動させ、前記本体の中にある空気をホースによって水銀柱の中に注入する。
【考案の効果】
【０００８】
本考案に係る血圧計の回帰機構は、つぎのような長所がある。
（１）血圧計の回帰機構には、水銀回帰機構及び空気入れ機構を備え、且つこの二つの機構は上蓋と連動できる、従って、上蓋が裏蓋と閉じあう時、前記空気入れ機構が水銀柱の中の水銀を水銀収納筒の中に押し戻すと同時に水銀回帰機構の連動バルブを連動させ、水銀を水銀収納筒の中に閉じこめることが出来る。
（２）上蓋が裏蓋と閉じあう時、水銀を水銀収納筒の中に制限し、収納するときの揺れや傾斜などによって水銀収納筒の中の水銀が水銀柱の中に流れ込むのを防ぎ、使用に際しての誤差現象を避けることが出来る。
（３）血圧計の回帰機構を連続して使用するときは、上蓋を一旦閉じてから再開する動作をするだけで、水銀柱の中に残留する水銀を水銀収納筒の中に回帰させ、水銀計を傾斜させて水銀の回流を待つ必要がなく、水銀の回流時間を短縮できる。
【考案を実施するための最良の形態】
【０００９】
以下に図面を参照しながら、本考案の好ましい形態について詳細に説明する。
【００１０】
図１〜図３を参照して、本考案に係る血圧計の回帰機構を説明する。血圧計の回帰機構は、測定値を表示できる水銀回帰機構２を収めるケースユニット１と、前記ケースユニット１に連動して空気を水銀回帰機構２の中に注入できる空気入れ機構３とを含む。前記水銀回帰機構２と空気入れ機構３は、ホース４によって連結されている。
【００１１】
前記ケースユニット１には、上蓋１１及び裏蓋１２を備え、前記上蓋１１及び裏蓋１２の連結端部はほぼU字形態をなしたホルダー１３によって、上蓋１１及び裏蓋１２が相対的に回動できるように枢接され、且つ前記上蓋１１及び裏蓋１２の対応面には、それぞれ対応する形態の筐体１１１及び１２１を設け、前記上蓋１１及び裏蓋１２の連結部には上向き弧状の転動体ガイドが設けてある。
【００１２】
図２に示すように、前記水銀回帰機構２には、水銀２２１を入れた水銀収納筒２２及び水銀柱２３を備える台座２１を設け、前記台座２１の中には流通路２１１があり、前記水銀２２１が前記流通路２１１によって水銀柱２３及び水銀収納筒２２の間を流通でき、且つ前記台座２１の流通路２１１には、一端が前記台座２１から伸張して連接装置２５と枢接した連動バルブ２４を設け、前記連接装置２５は前記裏蓋１２に固定され、上蓋１１と裏蓋１２の開閉に伴って前記連動バルブ２４を駆動して回転させ、更に水銀収納筒２２及び水銀柱２３の流通路２１１を開閉させ、前記水銀柱２３の台座２１からより遠く離れた一端には気体を注入できる注気孔２３１が設けてある。
【００１３】
前記空気入れ機構３には、ロッド３２を備えた本体３１があり、図３に示すように、前記本体３１からより遠く離れた前記ロッドの一端には、転動部品３３が設けてある、本実施例においては、前記転動部品３３はスチール玉を使用している、そして、前記ロッド３２の前記転動部品３３に接近した位置にツバ当て部品３４を設け、且つ前記ツバ当て部品３４と本体３１の間には、ロッド３２の外部を取り巻いた弾性部品３５を設ける。
【００１４】
本実施例では、前記弾性部品３５はスプリングを使用しているが、この弾性部品３５の回復力によって、前記ロッド３２を常態下において本体３１の外に突出させ、且つ前記ロッド３２からより遠く離れた本体３１の一端に、前記本体３１の中の空気を通過させる通気孔３１１が設けてあり、そして、本体３１の一端には空気を本体３１の中に吸入できる吸気孔３１２があり、且つ前記空気入れ機構３は、上蓋１１の弧状転動体ガイドの上方に設置され、上蓋１１の開閉動作に伴い、円弧状の回動を行うようになっている。
【００１５】
前記ホース４は、注気孔２３１と通気孔３１１を連通させ、上蓋１１が裏蓋１２と閉じて重なる時、前記空気入れ機構３と連動して円弧状の転位を行い、前記空気入れ機構３のロッド３２の転動部品３３を弧状転動体ガイドの上に沿って転動させ、更に前記ロッド３２を本体３１の方向へ移動させ、前記本体３１に収められた空気をホース４によって水銀柱２３の中に注入させる。
【００１６】
従って、ユーザーが上蓋１１を開くと、水銀回帰機構２の連動バルブ２４を駆動して転動させ、台座２１の流通路２１１を開き、水銀収納筒２２の中の水銀２２１を水銀柱２３の中に流し、ユーザーが上蓋１１を閉じると、前記空気入れ機構３を連動して円弧状に転動させ、前記ロッド32を弧状転動体ガイド１１２の上縁に当接させる事によって、前記ロッド３２を本体３１の上方に向かって移動させ、本体３１の中の空気をホース４によって水銀柱２３の中に流し込み、更に水銀柱２３の中の水銀２２１を水銀収納筒２２の中に回帰させる。
【００１７】
上述した説明は、本考案の一つの実施可能な例示に過ぎず、これらの実施の形態例は、本考案の実用新案登録請求の範囲を制限するものではなく、本考案の技術思想に基づく同等効果の実施又は変更は、すべて本案の実用新案登録請求の範囲に含まれるものとする。
【図面の簡単な説明】
【００１８】
【図１】本考案に係る血圧計の回帰機構斜視図である。
【図２】本考案に係る血圧計の水銀回帰機構斜視図である。
【図３】本考案に係る血圧計の空気入れ機構分解図である。
【符号の説明】
【００１９】
１・・・・・ケースユニット
１１・・・・上蓋
１１１・・・筐体
１１２・・・弧状の転動体ガイド
１２・・・・裏蓋
１２１・・・筐体
１３・・・・ホルダー
２・・・・・水銀回帰機構
２１・・・・台座
２１１・・・流通路
２２・・・・水銀収納筒
２２１・・・水銀
２３・・・・水銀柱
２３１・・・注気孔
２４・・・・連動バルブ
２５・・・・連接装置
３・・・・・空気入れ機構
３１・・・・本体
３１１・・・通気孔
３１２・・・吸気孔
３２・・・・ロッド
３３・・・・転動部品
３４・・・・ツバ当て部品
３５・・・・弾性部品
４・・・・・ホース
【図１】
0003106321.tif 000003
【図２】
0003106321.tif 000004
【図３】
0003106321.tif 000005